【手続補正書】
【提出日】令和3年9月7日(2021.9.7)
【手続補正１】
【補正対象書類名】特許請求の範囲
【補正対象項目名】全文
【補正方法】変更
【補正の内容】
【特許請求の範囲】
【請求項１】
移動する通信機器の各々から通信機器の位置情報を受信する受信部と、
同じ通信機器に対する前記受信部で受信した位置情報と、他の通信装置で受信された位置情報の受信時刻、及び異なる通信機器における予め定めた期間の位置情報の少なくとも一方が重複する場合、前記他の通信装置と連携して、前記予め定めた期間における位置情報が重複しないように位置情報を管理する制御を行う制御部と、
を備える通信装置
を含む通信システム。
【請求項２】
前記通信装置は、前記他の通信装置から、前記他の通信装置で受信した受信時刻が対応付けられた位置情報を通信機器毎に受け付ける受付部を備え、
前記通信装置の前記制御部は、通信機器毎に、前記受付部で受け付けた位置情報から前記受信部で受信した位置情報と重複する受信時刻を有する位置情報を取り除いた残りの位置情報と、前記受信部で受信した位置情報を、各々の位置情報の受信時刻と共に管理する制御を行う
請求項１記載の通信システム。
【請求項３】
前記通信装置は、前記受信部で受信した位置情報の受信時刻を通信機器毎に前記他の通信装置へ通知する通知部と、前記通知部で通知された受信時刻と異なる受信時刻を有する位置情報を、前記他の通信装置から通信機器毎に受け付ける受付部と、を備え、
前記通信装置の前記制御部は、通信機器毎に、前記受信部で受信した位置情報と、前記受付部で受け付けた位置情報を、各々の位置情報の受信時刻と共に管理する制御を行う
請求項１記載の通信システム。
【請求項４】
前記通信装置の前記制御部は、前記受信部で受信した位置情報の受信時刻が含まれる範囲を通信機器毎に前記他の通信装置へ通知するように前記通知部を制御する
請求項３記載の通信システム。
【請求項５】
前記通信装置の前記制御部は、自装置における処理量の度合いが予め定めた閾値を超えた場合に、前記範囲を通信機器毎に前記他の通信装置へ通知するように前記通知部を制御する
請求項４記載の通信システム。
【請求項６】
前記通信装置の前記制御部は、前記重複する位置情報を含む通信機器の中から、位置情報を管理する何れか１つの通信機器とは異なる他の通信機器を設定し、前記他の通信装置に、前記他の通信機器と異なる通信機器の位置情報を前記受付部に送信させる送信指示を通知するように前記通知部を制御すると共に、前記受信部で受信した前記他の通信機器以外の通信機器の位置情報と、前記受付部で前記他の通信装置から受け付けた、前記他の通信機器と異なる通信機器の位置情報を、各々の位置情報の受信時刻と共に管理する制御を行う
請求項３〜請求項５の何れか１項に記載の通信システム。
【請求項７】
前記通信装置の前記制御部は、自装置における位置情報の送受信に関する統計量を用いて、前記何れか１つの通信機器を設定する制御を行う
請求項６記載の通信システム。
【請求項８】
前記通信装置の前記制御部は、前記重複する位置情報を含む通信機器のうち、前記予め定めた期間において前記受信部で受信した位置情報の数が最も多い通信機器を、前記何れか１つの通信機器に設定する制御を行う
請求項７記載の通信システム。
【請求項９】
前記通信装置の前記制御部は、前記重複する位置情報を含む通信機器のうち、管理される位置情報の数が最も多い通信機器を、前記何れか１つの通信機器に設定する制御を行う
請求項７記載の通信システム。
【請求項１０】
前記通信装置の前記制御部は、前記他の通信機器と異なる通信機器から受信した位置情報で、かつ、前記通知部で通知した位置情報の受信時刻と重複しない位置情報を、前記他の通信装置に管理させるための管理指示を通知するように前記通知部を制御する
請求項６〜請求項９の何れか１項に記載の通信システム。
【請求項１１】
前記通信装置の前記制御部は、異なる通信機器で位置情報が重複する場合であっても、通信機器の種別が異なる場合には、重複していない位置情報として管理する制御を行う
請求項１〜請求項１０の何れか１項に記載の通信システム。
【請求項１２】
位置情報から人の動線を取得する外部装置を含み、
前記通信装置の前記制御部は、重複しないように管理した位置情報を前記外部装置に転送するように制御する
請求項１〜請求項１１の何れか１項に記載の通信システム。
【請求項１３】
コンピュータを、請求項１〜請求項１１の何れか１項に記載した通信システムに含まれる通信装置の制御部として機能させるための通信プログラム。
【手続補正２】
【補正対象書類名】明細書
【補正対象項目名】発明の名称
【補正方法】変更
【補正の内容】
【発明の名称】通信システム、及び通信プログラム
【手続補正３】
【補正対象書類名】明細書
【補正対象項目名】０００１
【補正方法】変更
【補正の内容】
【０００１】
本発明は、通信システム、及び通信プログラムに関する。
【手続補正４】
【補正対象書類名】明細書
【補正対象項目名】０００６
【補正方法】変更
【補正の内容】
【０００６】
本発明は、通信機器の位置情報を、重複して管理しないようにすることができる通信システム、及び通信プログラムを提供することを目的とする。
【手続補正５】
【補正対象書類名】明細書
【補正対象項目名】０００７
【補正方法】変更
【補正の内容】
【０００７】
上記目的を達成するために、請求項１記載の通信システムの発明は、移動する通信機器の各々から通信機器の位置情報を受信する受信部と、同じ通信機器に対する前記受信部で受信した位置情報と、他の通信装置で受信された位置情報の受信時刻、及び異なる通信機器における予め定めた期間の位置情報の少なくとも一方が重複する場合、前記他の通信装置と連携して、前記予め定めた期間における位置情報が重複しないように位置情報を管理する制御を行う制御部と、を備える通信装置を含む。
【手続補正６】
【補正対象書類名】明細書
【補正対象項目名】０００８
【補正方法】変更
【補正の内容】
【０００８】
請求項２記載の発明は、前記通信装置は、前記他の通信装置から、前記他の通信装置で受信した受信時刻が対応付けられた位置情報を通信機器毎に受け付ける受付部を備え、前記通信装置の前記制御部は、通信機器毎に、前記受付部で受け付けた位置情報から前記受信部で受信した位置情報と重複する受信時刻を有する位置情報を取り除いた残りの位置情報と、前記受信部で受信した位置情報を、各々の位置情報の受信時刻と共に管理する制御を行う。
【手続補正７】
【補正対象書類名】明細書
【補正対象項目名】０００９
【補正方法】変更
【補正の内容】
【０００９】
請求項３記載の発明は、前記通信装置は、前記受信部で受信した位置情報の受信時刻を通信機器毎に前記他の通信装置へ通知する通知部と、前記通知部で通知された受信時刻と異なる受信時刻を有する位置情報を、前記他の通信装置から通信機器毎に受け付ける受付部と、を備え、前記通信装置の前記制御部は、通信機器毎に、前記受信部で受信した位置情報と、前記受付部で受け付けた位置情報を、各々の位置情報の受信時刻と共に管理する制御を行う。
【手続補正８】
【補正対象書類名】明細書
【補正対象項目名】００１０
【補正方法】変更
【補正の内容】
【００１０】
請求項４記載の発明は、前記通信装置の前記制御部は、前記受信部で受信した位置情報の受信時刻が含まれる範囲を通信機器毎に前記他の通信装置へ通知するように前記通知部を制御する。
【手続補正９】
【補正対象書類名】明細書
【補正対象項目名】００１１
【補正方法】変更
【補正の内容】
【００１１】
請求項５記載の発明は、前記通信装置の前記制御部は、自装置における処理量の度合いが予め定めた閾値を超えた場合に、前記範囲を通信機器毎に前記他の通信装置へ通知するように前記通知部を制御する。
【手続補正１０】
【補正対象書類名】明細書
【補正対象項目名】００１２
【補正方法】変更
【補正の内容】
【００１２】
請求項６記載の発明は、前記通信装置の前記制御部は、前記重複する位置情報を含む通信機器の中から、位置情報を管理する何れか１つの通信機器とは異なる他の通信機器を設定し、前記他の通信装置に、前記他の通信機器と異なる通信機器の位置情報を前記受付部に送信させる送信指示を通知するように前記通知部を制御すると共に、前記受信部で受信した前記他の通信機器以外の通信機器の位置情報と、前記受付部で前記他の通信装置から受け付けた、前記他の通信機器と異なる通信機器の位置情報を、各々の位置情報の受信時刻と共に管理する制御を行う。
【手続補正１１】
【補正対象書類名】明細書
【補正対象項目名】００１３
【補正方法】変更
【補正の内容】
【００１３】
請求項７記載の発明は、前記通信装置の前記制御部は、自装置における位置情報の送受信に関する統計量を用いて、前記何れか１つの通信機器を設定する制御を行う。
【手続補正１２】
【補正対象書類名】明細書
【補正対象項目名】００１４
【補正方法】変更
【補正の内容】
【００１４】
請求項８記載の発明は、前記通信装置の前記制御部は、前記重複する位置情報を含む通信機器のうち、前記予め定めた期間において前記受信部で受信した位置情報の数が最も多い通信機器を、前記何れか１つの通信機器に設定する制御を行う。
【手続補正１３】
【補正対象書類名】明細書
【補正対象項目名】００１５
【補正方法】変更
【補正の内容】
【００１５】
請求項９記載の発明は、前記通信装置の前記制御部は、前記重複する位置情報を含む通信機器のうち、管理される位置情報の数が最も多い通信機器を、前記何れか１つの通信機器に設定する制御を行う。
【手続補正１４】
【補正対象書類名】明細書
【補正対象項目名】００１６
【補正方法】変更
【補正の内容】
【００１６】
請求項１０記載の発明は、前記通信装置の前記制御部は、前記他の通信機器と異なる通信機器から受信した位置情報で、かつ、前記通知部で通知した位置情報の受信時刻と重複しない位置情報を、前記他の通信装置に管理させるための管理指示を通知するように前記通知部を制御する。
【手続補正１５】
【補正対象書類名】明細書
【補正対象項目名】００１７
【補正方法】変更
【補正の内容】
【００１７】
請求項１１記載の発明は、前記通信装置の前記制御部は、異なる通信機器で位置情報が重複する場合であっても、通信機器の種別が異なる場合には、重複していない位置情報として管理する制御を行う。
【手続補正１６】
【補正対象書類名】明細書
【補正対象項目名】００１８
【補正方法】変更
【補正の内容】
【００１８】
請求項１２記載の発明は、位置情報から人の動線を取得する外部装置を含み、前記通信装置の前記制御部は、重複しないように管理した位置情報を前記外部装置に転送するように制御する。
【手続補正１７】
【補正対象書類名】明細書
【補正対象項目名】００１９
【補正方法】変更
【補正の内容】
【００１９】
請求項１３記載の通信プログラムの発明は、コンピュータを、請求項１〜請求項１１の何れか１項に記載した通信システムに含まれる通信装置の制御部として機能させる。
【手続補正１８】
【補正対象書類名】明細書
【補正対象項目名】００２１
【補正方法】変更
【補正の内容】
【００２１】
請求項２記載の発明によれば、通信システムに含まれる１台の通信装置で、位置情報が重複しないように位置情報を管理することができる、という効果を有する。
【手続補正１９】
【補正対象書類名】明細書
【補正対象項目名】００２２
【補正方法】変更
【補正の内容】
【００２２】
請求項３記載の発明によれば、通信システムに含まれる各々の通信装置に、位置情報の重複を判定する処理を分散させることができる、という効果を有する。
【手続補正２０】
【補正対象書類名】明細書
【補正対象項目名】００２３
【補正方法】変更
【補正の内容】
【００２３】
請求項４記載の発明によれば、各々の位置情報の受信時刻を他の通信装置へ通知する場合と比較して、通信システムにおけるデータの通信量を抑制することができる、という効果を有する。
【手続補正２１】
【補正対象書類名】明細書
【補正対象項目名】００２４
【補正方法】変更
【補正の内容】
【００２４】
請求項５記載の発明によれば、通信装置での処理量の度合いに応じて、他の通信装置への位置情報の受信時刻の通知方法を切り換えることができる、という効果を有する。
【手続補正２２】
【補正対象書類名】明細書
【補正対象項目名】００２９
【補正方法】変更
【補正の内容】
【００２９】
請求項１０記載の発明によれば、重複しない各々の位置情報を、複数の通信装置で分散して管理することができる、という効果を有する。
【手続補正２３】
【補正対象書類名】明細書
【補正対象項目名】００３１
【補正方法】変更
【補正の内容】
【００３１】
請求項１２記載の発明によれば、管理する位置情報を用いて通信装置で人の動線を取得する場合と比較して、通信装置の負荷を抑制することができる、という効果を有する。